(57)【要約】【課題】  起動要因検知回路の省エネルギー化を可能とし、同時に、省エネルギー動作モード時における機器全体のさらなる省エネルギー化を可能とする画像形成装置及びその制御方法を提供する。【解決手段】  画像形成装置は、プリンタ部２２等を制御する機器制御部９と、通常モード時に機器制御部９に主電源を供給し、省電力モード時に主電源の供給を停止する主電源制御回路５と、所定のイベントを検知する起動要因検知回路１３と、省電力モード時に起動要因検知回路１３に補助電力を供給し、通常モード時に補助電源の供給を停止する副電源制御回路とを備える。起動要因検知回路１３が省電力モードから通常モードへの移行を指示するイベントを検知した場合、主電源制御回路５は、機器制御部９及び起動要因検知回路１３への主電源の供給を開始し、副電源制御回路１０は、補助電源の供給を停止する。【選択図】  図１
2006184311.tif 000002
【特許請求の範囲】
【請求項１】
画像形成機能を有する機器を制御する制御部と、
第１のモード時に前記制御部に主電源を供給し、第２のモード時に該制御部への主電源の供給を停止する第１の電源部と、
所定のイベントを検知する検知部と、
前記第２のモード時に前記検知部に補助電力を供給し、前記第１のモード時に該検知部への補助電源の供給を停止する第２の電源部とを備え、
前記検知部が、前記第２のモードから前記第１のモードへの移行を指示するイベントを検知した場合、前記第１の電源部は、前記制御部及び前記検知部への主電源の供給を開始し、前記第２の電源部は、該検知部への補助電源の供給を停止する
ことを特徴とする画像形成装置。
【請求項２】
前記検知部が、前記第１のモードから前記第２のモードへの移行を指示するイベントを検知した場合、前記第１の電源部は、前記制御部及び前記検知部への主電源の供給を停止し、前記第２の電源部は、該検知部への補助電源の供給を開始することを特徴とする請求項１に記載の画像形成装置。
【請求項３】
前記第１のモードと前記第２のモードとの切替をキー押下によってオペレータに行わせる動作モード移行キーをさらに備え、
前記検知部が、オペレータによる前記動作モード移行キーの押下を検知することによってモード移行を示すイベントの発生を検知することを特徴とする請求項１又は２に記載の画像形成装置。
【請求項４】
原稿を入力する入力手段をさらに備え、
前記検知部が、前記入力手段によって原稿が入力されたことによって、前記第２のモードから前記第１のモードへのモード移行を示すイベントの発生を検知する
ことを特徴とする請求項１乃至３に記載の画像形成装置。
【請求項５】
前記検知部が、前記第１のモードにおいて所定時間オペレータによる操作がない場合に、前記第１のモードから前記第２のモードへの移行を示すイベントの発生を検知することを特徴とする請求項２乃至４に記載の画像形成装置。
【請求項６】
電源装置から入力された信号からゼロクロスポイントを検出して所定の信号を出力するゼロクロス回路をさらに備え、
前記第１及び第２の電源部は、前記ゼロクロス回路から出力された前記所定信号をそれぞれ前記主電源及び補助電源として供給する
ことを特徴とする請求項１乃至５に記載の画像形成装置。
【請求項７】
前記第２のモードが省エネルギー動作モードであって、前記第１の電源部が、該第２のモードにおいて前記制御部への主電源の供給を停止することを特徴とする請求項１乃至６に記載の画像形成装置。
【請求項８】
前記第１のモードが通常モードであって、前記第２の電源部が、該第１のモードにおいて、前記検知部への補助電源の供給を停止することを特徴とする請求項１乃至７に記載の画像形成装置。
【請求項９】
画像形成機能を有する機器を制御する制御部と、第１のモード時に前記制御部に主電源を供給し、第２のモード時に該制御部への主電源の供給を停止する第１の電源部と、所定のイベントを検知する検知部と、前記第２のモード時に前記検知部に補助電力を供給し、前記第１のモード時に該検知部への補助電源の供給を停止する第２の電源部とを備える画像形成装置の制御方法であって、
前記検知部によって前記第２のモードから前記第１のモードへの移行を指示するイベントが検知された場合、前記第１の電源部による前記制御部及び前記検知部への主電源の供給を開始し、前記第２の電源部による該検知部への補助電源の供給を停止する
ことを特徴とする画像形成装置の制御方法。
【請求項１０】
画像形成機能を有する機器を制御する制御部と、第１のモード時に前記制御部に主電源を供給し、第２のモード時に該制御部への主電源の供給を停止する第１の電源部と、所定のイベントを検知する検知部と、前記第２のモード時に前記検知部に補助電力を供給し、前記第１のモード時に該検知部への補助電源の供給を停止する第２の電源部とを備えるコンピュータに、
前記検知部によって前記第２のモードから前記第１のモードへの移行を指示するイベントが検知された場合、前記第１の電源部による前記制御部及び前記検知部への主電源の供給を開始し、前記第２の電源部による該検知部への補助電源の供給を停止する手順を実行させるためのプログラム。
【請求項１１】
請求項１０に記載のプログラムを格納したことを特徴とするコンピュータ読み取り可能な記憶媒体。
【発明の詳細な説明】
【技術分野】
【０００１】
本発明は、電源部から出力される信号をクロックとして電子機器の起動要因検出部に出力して省エネルギー動作モードを実現する複写機、プリンタ、複合機等の画像形成装置及びその制御方法に関する。
【背景技術】
【０００２】
従来から、プリンタ等の画像形成装置においては、主として、消費電力の大きい定着装置をオフ状態にすることにより省エネルギー化が図られていた。しかし、近年の画像形成装置ではそれらの装置を制御する制御装置自身の回路規模が大きくなり、その消費電力も大きなものとなってきている。
【０００３】
そこで、プリンタコントローラとプリントエンジンコントローラの２つのコントローラを有し、互いに独立してゼロクロス検出回路とヒーター制御回路への通電を制御することによって、制御部停止による省エネルギー化を実現する画像形成装置が知られている（特許文献１参照。）。
【０００４】
また、機器の省エネルギー化を実現するために、例えば、動作不要回路への電源供給停止、ＣＰＵの省エネルギー動作モードへの移行、動作不要チップへのクロック停止、メモリのセルフリフレッシュモードへの移行、動作不要センサへの電源供給停止等のような２次負荷を減らす方法も行われている。
【０００５】
さらに、ファクシミリ装置の主電源と主ＣＰＵがオフ状態の間に、補助電源を用いて補助ＣＰＵを駆動する方法も提案されている（特許文献２参照。）。
【特許文献１】特開２００３−１７７６４０公報（図１）
【特許文献２】特開平８−７９４１６号公報（図１、図２）
【発明の開示】
【発明が解決しようとする課題】
【０００６】
しかしながら、上述したような、２つのコントローラがゼロクロス検出回路やヒーター制御回路を独立に制御する方法や、２次負荷を減らす方法や、補助電源を用いて補助ＣＰＵを駆動する方法においては、必ずＣＰＵを駆動させて起動要因検知処理等を行う必要がある。従って、ＣＰＵを動作させるための電力が必要となり、当該ＣＰＵの回路規模が近年大きくなりつつあることから、十分に省エネルギー化を図ることができないという問題がある。
【０００７】
本発明は、このような事情を考慮してなされたものであり、起動要因検知回路の省エネルギー化を可能とし、同時に、省エネルギー動作モード時における機器全体のさらなる省エネルギー化を可能とする画像形成装置及びその制御方法を提供することを目的とする。
【課題を解決するための手段】
【０００８】
上記課題を解決するために、本発明に係る画像形成装置は、
画像形成機能を有する機器を制御する制御部と、
第１のモード時に前記制御部に主電源を供給し、第２のモード時に該制御部への主電源の供給を停止する第１の電源部と、
所定のイベントを検知する検知部と、
前記第２のモード時に前記検知部に補助電力を供給し、前記第１のモード時に該検知部への補助電源の供給を停止する第２の電源部とを備え、
前記検知部が、前記第２のモードから前記第１のモードへの移行を指示するイベントを検知した場合、前記第１の電源部は、前記制御部及び前記検知部への主電源の供給を開始し、前記第２の電源部は、該検知部への補助電源の供給を停止する
ことを特徴とする。
【０００９】
また、本発明に係る上記画像形成装置は、前記検知部が、前記第１のモードから前記第２のモードへの移行を指示するイベントを検知した場合、前記第１の電源部は、前記制御部及び前記検知部への主電源の供給を停止し、前記第２の電源部は、該検知部への補助電源の供給を開始することを特徴とする。
【００１０】
さらに、本発明に係る上記画像形成装置は、
前記第１のモードと前記第２のモードとの切替をキー押下によってオペレータに行わせる動作モード移行キーをさらに備え、
前記検知部が、オペレータによる前記動作モード移行キーの押下を検知することによってモード移行を示すイベントの発生を検知することを特徴とする。
【００１１】
さらにまた、本発明に係る上記画像形成装置は、
原稿を入力する入力手段をさらに備え、
前記検知部が、前記入力手段によって原稿が入力されたことによって、前記第２のモードから前記第１のモードへのモード移行を示すイベントの発生を検知する
ことを特徴とする。
【００１２】
さらにまた、本発明に係る上記画像形成装置は、前記検知部が、前記第１のモードにおいて所定時間オペレータによる操作がない場合に、前記第１のモードから前記第２のモードへの移行を示すイベントの発生を検知することを特徴とする。
【００１３】
さらにまた、本発明に係る上記画像形成装置は、
電源装置から入力された信号からゼロクロスポイントを検出して所定の信号を出力するゼロクロス回路をさらに備え、
前記第１及び第２の電源部は、前記ゼロクロス回路から出力された前記所定信号をそれぞれ前記主電源及び補助電源として供給する
ことを特徴とする。
【００１４】
さらにまた、本発明に係る上記画像形成装置は、前記第２のモードが省エネルギー動作モードであって、前記第１の電源部が、該第２のモードにおいて前記制御部への主電源の供給を停止することを特徴とする。
【００１５】
さらにまた、本発明に係る上記画像形成装置は、前記第１のモードが通常モードであって、前記第２の電源部が、該第１のモードにおいて、前記検知部への補助電源の供給を停止することを特徴とする。
【発明の効果】
【００１６】
本発明によれば、起動要因検知回路の省エネルギー化を可能とし、同時に、省エネルギー動作モード時における機器全体のさらなる省エネルギー化を可能とする。
【発明を実施するための最良の形態】
【００１７】
以下、図面を参照して、本発明の一実施形態に係る画像形成装置の細部構成及びその動作例について詳細に説明する。
【００１８】
図１は、本発明の一実施形態に係る画像形成装置の構成を示すブロック図である。図１において、１は電源スイッチ、２はフィルタ回路、３はゼロクロス回路である。ゼロクロス回路３は、電源スイッチ１のＯＮによるＡＣ入力のゼロクロスポイントを検出して所定の信号を出力する。
【００１９】
また、図１において、４は整流回路、５は主電源制御回路である。主電源制御回路５は、主電源出力用トランス７及び主電源出力回路８を介して電力を機器制御部（ＣＰＵ）９に供給する。さらに、機器制御部９は、スキャナ部２１、プリンタ部２２、及び操作部２３を制御する。尚、主電源ＯＮ用受光素子６は、主電源ＯＮ用発光素子１９により、主電源制御回路５の動作／非動作を制御する素子である。
【００２０】
さらに、図１において、１０は副電源制御回路であり、副電源出力トランス１１及び副電源出力回路１２を介して起動要因検知回路１３、波形整形用抵抗１４、シュミットトリガ１５、ゼロクロス回路出力の受光素子１６、主電源ＯＮ用発光素子１９、及び電流制限抵抗２０に電力を供給する。
【００２１】
さらにまた、図１において、動作モード切替キー１７の押下及び原稿検知センサ１８による検知の各動作は、本画像形成装置における起動要因等になり得る。すなわち、動作モード切替キーは、通常モードから省エネルギー動作モードへの移行、又は省エネルギー動作モードから通常モードへの移行オペレータのキー押下による指示があった場合にそれぞれのモードへの起動要因となり得るものである。尚、各要因となるための動作用電力は、副電源出力回路１２から供給される。
【００２２】
図２は、図１に示す本実施形態に係る画像形成装置の電源投入から省電力モードへ移行する動作を説明するためのフローチャートである。まず、電源スイッチ１が投入された後（ステップＳ１０１）、主電源制御回路５及び副電源制御回路１０が、ほぼ同時に起動して（ステップＳ１０２）、機器制御部９及び起動要因検知回路１３等への電力供給を開始する（ステップＳ１０３）。次いで、機器制御部９は、当該機器全体の制御を開始する（ステップＳ１０４）。
【００２３】
ここで、省エネルギー動作モードへ移行するか否かを判断する（ステップＳ１０５）。省エネルギー動作モードへの移行は、通常モードにおける当該機器の未使用時間がユーザ等が設定した省エネルギー動作モードへの移行時間以上経過した場合、或いは、通常モードにおいてオペレータによって動作モード切替キー１７が押下された場合に行われる。そして、移行に際しては、まず、機器制御部９が、起動要因検知回路１３に省エネルギー動作モードに移行する信号を出力する（ステップＳ１０６）。この信号により、起動要因検知回路１３は、主電源ＯＮ用発光素子１９をＯＦＦ状態にする（ステップＳ１０７）。この結果、電源ＯＮ用受光素子６がＯＦＦ状態となり、主電源制御回路５が非動作になる（ステップＳ１０８）。その後、主電源出力回路８もＯＦＦ状態となり、機器制御部９、スキャナ部２１、及びプリンタ部２２への電源供給も停止され（ステップＳ１０９）、省エネルギー動作モードに移行することができる。
【００２４】
次いで、図１に示す本実施形態に係る画像形成装置の省電力モード（省エネルギー動作モード）から通常モードへ復帰する動作について説明する。図３は、図１に示す本実施形態に係る画像形成装置の省エネルギー動作モードから通常モードへ移行する動作を説明するためのフローチャートである。
【００２５】
まず、省エネルギー動作モードにおいて、当該モードから通常モードへ復帰する指示があったか否かを判断する（ステップＳ２０１）。すなわち、オペレータによる動作モード切替キー１７の押下、或いは原稿検知センサ１８による原稿入力の検知等の復帰の起動要因があったかどうかを起動要因検知回路１３が検出する。
【００２６】
本実施形態では、省エネルギー動作モードにおいて、入力されたＡＣ入力がゼロクロス回路３によるゼロクロスポイントの検出によって得られる所定信号が常時出力している。そして、ゼロクロス回路出力の受光素子１６が当該信号出力を受けると、波形整形用抵抗１４及びシュミットトリガ１５を通して波形整形された信号をクロックとして、起動要因検知回路１３に入力する。これにより、省エネルギー動作モードにおいても起動要因検知回路１３は動作する。このような状態において、起動要因検知回路１３は、動作モード切替キー１７の押下又は原稿検知センサ１８による原稿入力等を検知することができ、これによって省エネルギー動作モードから通常モードへ復帰する指示があったか否かを判断する。
【００２７】
そして、復帰指示があった場合（Ｙｅｓ）は、主電源ＯＮ用発光素子１９を駆動する（ステップＳ２０２）。この結果、主電源ＯＮ用受光素子６がＯＮ状態となって主電源制御回路５が動作を開始する（ステップＳ２０３）。そして、主電源出力回路８からの電力の供給が開始される（ステップＳ２０４）。尚、機器制御部９は、主電源ＯＮ用発光素子１９を次の省エネルギー動作モードに移行するまで駆動する。そして、機器制御部９は、起動要因検出部１３から起動要因のデータを読い取り、その要因に応じた動作を行う。
【００２８】
図４は、本発明の一実施形態に係る画像形成装置におけるゼロクロス回路出力（シュミットトリガの出力）の信号波形を示す図である。また、図５は、本発明の一実施形態に係る画像形成装置における起動要因検知回路１３の細部構成を示すブロック図である。図６は、図５に示す本実施形態に係る画像形成装置の起動要因検知回路１３の動作を説明するためのフローチャートである。以下では、シュミットトリガ１５の出力をクロックとして、本実施形態に係る起動要因検知回路１３の構成及びその動作について説明する。
【００２９】
図５において、端子５１は、図１に示す画像形成装置のシュミットトリガ１５の出力に接続される。端子５２は、図１に示す画像形成装置の動作モード切替キー１７に接続される。また、端子５３は、図１に示す画像形成装置の原稿検知センサ１８に接続され、端子５４は、主電源ＯＮ用発光素子１９に接続される。さらに、端子５５は、機器制御部９の出力信号に接続され、端子５６は、機器制御部９への出力信号に接続される。
【００３０】
図６において、シュミットトリガ１５から端子５１を介してクロック信号が入力される（ステップＳ３０１）。当該クロック信号は、フリップフロップ５０１において、起動要因と検出する動作モード切替キー１７に接続された端子５２や原稿検知センサ１８に接続された端子５３を入力とするＯＲゲート５０２からの出力信号を取り込む（ステップＳ３０２）。ここで、起動要因が発生したか否かが判断される（ステップＳ３０３）。例えば、端子５２又は端子５３から入力される信号が「Ｌ（ロー）」から「Ｈ（ハイ）」に変化した場合（すなわち、起動要因が発生した場合）は、ＯＲゲート５０２からの出力は「Ｌ」から「Ｈ」に変化し、ゲート５０３から対応する信号を出力する（ステップＳ３０４）。この結果、フリップフロップ５０４を駆動して、バッファ５０５を通して端子５４へ信号が出力される（ステップＳ３０５）。
【００３１】
尚、端子５４へ出力された信号は、図１に示す主電源ＯＮ用発光素子１９を駆動した後は、前述したように主電源制御回路５を動作させ、機器制御部９を起動することとなる。そして、機器制御部９は、端子５５の出力信号により、起動要因検知回路１３内のバッファ５０６を通してフリップフロップ５０４をプリセットして、主電源制御回路５を次の省エネルギー動作モード移行まで動作させる。同時に、出力バッファ５０７を動作させ、起動要因の信号を機器制御部９と接続する。
【００３２】
また、端子５２又は端子５３から入力される信号が「Ｈ」から「Ｌ」に変化した場合（すなわち、省エネルギーモードへの移行要因が発生した場合）は、ＯＲゲート５０２からの出力は「Ｈ」から「Ｌ」に変化し、ゲート５０３から対応する信号を出力することとなる。
【００３３】
尚、本実施形態では、電源から出力される信号をゼロクロス回路からの出力としたが、副電源のスイッチング信号を利用しても良い。或いは、ＡＣ電源の半波整流回路の出力でもよい。尚、図１に示す波形整形用抵抗１４、シュミットトリガ１５、ゼロクロス回路出力の受光素子１６で示される波形整形手段を、より耐ノイズの高い回路にしても良い。さらにまた、機器制御部９が、立ち上がり後、副電源制御回路１０の出力をＯＦＦ状態にするようにしてもよい。
【００３４】
以上、説明したように、本実施形態に係る画像形成装置によれば、起動要因検知回路の省エネルギー化を可能とし、同時に、省エネルギー動作モード時における機器全体のさらなる省エネルギー化を可能とするだけでなく、起動要因検知回路のためのクロック周波数の低周波数化、当該回路の簡易化やコストダウンも可能となる。
【００３５】
以上、実施形態例を詳述したが、本発明は、例えば、システム、装置、方法、プログラム若しくは記憶媒体（記録媒体）等としての実施態様をとることが可能であり、具体的には、複数の機器から構成されるシステムに適用しても良いし、また、一つの機器からなる装置に適用しても良い。
【００３６】
尚、本発明は、前述した実施形態の機能を実現するソフトウェアのプログラム（実施形態では図に示すフローチャートに対応したプログラム）を、システムあるいは装置に直接あるいは遠隔から供給し、そのシステムあるいは装置のコンピュータが該供給されたプログラムコードを読み出して実行することによっても達成される場合を含む。
【００３７】
従って、本発明の機能処理をコンピュータで実現するために、該コンピュータにインストールされるプログラムコード自体も本発明を実現するものである。つまり、本発明は、本発明の機能処理を実現するためのコンピュータプログラム自体も含まれる。
【００３８】
その場合、プログラムの機能を有していれば、オブジェクトコード、インタプリタにより実行されるプログラム、ＯＳに供給するスクリプトデータ等の形態であっても良い。
【００３９】
プログラムを供給するための記録媒体としては、例えば、フロッピー（登録商標）ディスク、ハードディスク、光ディスク、光磁気ディスク、ＭＯ、ＣＤ−ＲＯＭ、ＣＤ−Ｒ、ＣＤ−ＲＷ、磁気テープ、不揮発性のメモリカード、ＲＯＭ、ＤＶＤ（ＤＶＤ−ＲＯＭ，ＤＶＤ−Ｒ）などがある。
【００４０】
その他、プログラムの供給方法としては、クライアントコンピュータのブラウザを用いてインターネットのホームページに接続し、該ホームページから本発明のコンピュータプログラムそのもの、もしくは圧縮され自動インストール機能を含むファイルをハードディスク等の記録媒体にダウンロードすることによっても供給できる。また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明に含まれるものである。
【００４１】
また、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせ、その鍵情報を使用することにより暗号化されたプログラムを実行してコンピュータにインストールさせて実現することも可能である。
【００４２】
また、コンピュータが、読み出したプログラムを実行することによって、前述した実施形態の機能が実現される他、そのプログラムの指示に基づき、コンピュータ上で稼動しているＯＳなどが、実際の処理の一部または全部を行い、その処理によっても前述した実施形態の機能が実現され得る。
【００４３】
さらに、記録媒体から読み出されたプログラムが、コンピュータに挿入された機能拡張ボードやコンピュータに接続された機能拡張ユニットに備わるメモリに書き込まれた後、そのプログラムの指示に基づき、その機能拡張ボードや機能拡張ユニットに備わるＣＰＵなどが実際の処理の一部または全部を行い、その処理によっても前述した実施形態の機能が実現される。
【図面の簡単な説明】
【００４４】
【図１】本発明の一実施形態に係る画像形成装置の構成を示すブロック図である。
【図２】図１に示す本実施形態に係る画像形成装置の電源投入から省エネルギー動作モードへ移行する動作を説明するためのフローチャートである。
【図３】図１に示す本実施形態に係る画像形成装置の省エネルギー動作モードから通常モードへ移行する動作を説明するためのフローチャートである。
【図４】本発明の一実施形態に係る画像形成装置におけるゼロクロス回路出力（シュミットトリガの出力）の信号波形を示す図である。
【図５】本発明の一実施形態に係る画像形成装置における起動要因検知回路１３の細部構成を示すブロック図である。
【図６】図５に示す本実施形態に係る画像形成装置の起動要因検知回路１３の動作を説明するためのフローチャートである。
【符号の説明】
【００４５】
１  電源スイッチ
２  フィルタ回路
３  ゼロクロス回路
４  整流回路
５  主電源制御回路
６  主電源ＯＮ用受光素子
７  主電源出力用トランス
８  主電源出力回路
９  機器制御部
１０  副電源制御回路
１１  副電源出力トランス
１２  副電源出力回路
１３  起動要因検知回路
１４  波形整形用抵抗
１５  シュミットトリガ
１６  ゼロクロス回路出力の受光素子
１７  動作モード切替キー
１８  原稿検知センサ
１９  主電源ＯＮ用発光素子
２０  電流制限抵抗
２１  スキャナ部
２２  プリンタ部
２３  操作部
５０１、５０４  フリップフロップ
５０２  ＯＲゲート
５０３  ゲート
５０５、５０６  バッファ
５０７  出力バッファ
【図１】
2006184311.tif 000003
【図２】
2006184311.tif 000004
【図３】
2006184311.tif 000005
【図４】
2006184311.tif 000006
【図５】
2006184311.tif 000007
【図６】
2006184311.tif 000008